(57)【要約】【課題】  画面に表示される画像の大きさが大きくなった場合に、ユーザが感じるまぶしさの増加を抑制することが可能な表示装置を提供することを目的とする。【解決手段】  本発明の表示装置１は、画面２ａに画像を表示する表示部２と、表示領域の大きさＳｒを取得する領域サイズ取得部１０７と、表示領域の大きさＳｒに基づいて設定可能な表示輝度の範囲を決定する輝度範囲決定部１０８と、表示輝度を設定する輝度設定部１０９と、表示部２を制御する表示制御部１１３と、を備え、表示領域の大きさＳｒが第１の大きさである場合に、輝度範囲決定部１０８は、表示輝度の範囲として第１の輝度範囲を決定し、表示領域の大きさＳｒが第１の大きさよりも大きい第２の大きさである場合に、輝度範囲決定部１０８は、表示輝度の範囲として第２の輝度範囲を決定し、前記第２の輝度範囲の上限の輝度は、前記第１の輝度範囲の上限の輝度よりも小さいことを特徴とする。【選択図】  図１
2017142343.tif 000002
【特許請求の範囲】
【請求項１】
入力画像に基づいて画面に画像を表示する表示手段と、
前記画面の前記画像が表示される表示領域の大きさを取得する第１取得手段と、
前記表示領域の大きさに基づいて、設定可能な表示輝度の範囲を決定する決定手段と、
前記決定手段が決定した前記表示輝度の範囲で、前記画面に表示される前記画像の表示輝度を設定する設定手段と、
設定された前記表示輝度に基づいて、前記画像が表示されるように前記表示手段を制御する制御手段と、
を備え、
前記表示領域の大きさが第１の大きさである場合に、前記決定手段は、前記表示輝度の範囲として第１の輝度範囲を決定し、前記表示領域の大きさが第１の大きさよりも大きい第２の大きさである場合に、前記決定手段は、前記表示輝度の範囲として第２の輝度範囲を決定し、前記第２の輝度範囲の上限の輝度は、前記第１の輝度範囲の上限の輝度よりも小さいことを特徴とする表示装置。
【請求項２】
前記表示手段の前記画面の大きさを取得する第２取得手段と、
前記画像の大きさを取得する第３取得手段と、
を備え、
前記第１取得手段は、前記画面の大きさと、前記画像の大きさとに基づいて、前記表示領域の大きさを取得することを特徴とする請求項１に記載の表示装置。
【請求項３】
前記入力画像を拡大して前記画像を生成する拡大処理手段と、
前記拡大処理手段が前記入力画像を拡大する拡大率を設定する拡大率設定手段と、
を備えることを特徴とする請求項１または請求項２に記載の表示装置。
【請求項４】
前記拡大率を示す第１の付加画像を生成する第１の生成手段を備え、
前記制御手段は、前記第１の付加画像が前記画面に表示されるように、前記表示手段を制御することを特徴とする請求項３に記載の表示装置。
【請求項５】
前記第１の付加画像は、ユーザが前記拡大率を設定するために用いるユーザーインターフェース画像であることを特徴とする請求項４に記載の表示装置。
【請求項６】
前記決定手段が決定した表示輝度の範囲と、前記設定手段が設定した表示輝度とを示す第２の付加画像を生成する第２の生成手段を備え、
前記制御手段は、前記第２の付加画像が前記画面に表示されるように、前記表示手段を制御することを特徴とする請求項１乃至請求項５のいずれか１項に記載の表示装置。
【請求項７】
前記第２の付加画像は、ユーザが前記表示輝度を設定するために用いるユーザーインターフェース画像であることを特徴とする請求項６に記載の表示装置。
【請求項８】
前記表示装置の周囲の明るさを検出する照度検出手段をさらに備え、
前記決定手段は、前記照度検出手段が検出した明るさと、前記表示領域の大きさとに基づいて、前記設定手段が設定可能な表示輝度の範囲を決定することを特徴とする請求項１乃至請求項７のいずれか１項に記載の表示装置。
【請求項９】
前記表示装置の前記画面を視ているユーザと前記画面との距離を測定する距離測定手段を備え、
前記設定手段は、前記距離測定手段が検出した前記距離と、前記表示領域の大きさとに基づいて、前記設定手段が設定可能な表示輝度の範囲を決定することを特徴とする請求項１乃至請求項８のいずれか１項に記載の表示装置。
【請求項１０】
画面に画像を表示する表示手段と、
前記画面に表示される前記画像の表示輝度を設定する設定手段と、
前記設定手段が設定可能な表示輝度の上限値を取得する取得手段と、
前記取得手段が取得した表示輝度の範囲の上限値に基づいて、前記画面に前記画像が表示される表示領域の大きさを設定する決定手段と、
前記設定手段が設定した表示輝度に基づいて、前記設定手段が設定した前記表示領域に前記画像を表示するように前記表示手段を制御する制御手段と、
を備え、
前記表示輝度の範囲の上限値が第１の輝度である場合に、前記決定手段は、前記表示領域の大きさを第１の大きさに設定し、前記表示輝度の範囲の上限値が前記第１の輝度よりも高い第２の輝度である場合に、前記決定手段は、前記表示領域の大きさを前記第１の大きさよりも小さい第２の大きさに設定することを特徴とする表示装置。
【請求項１１】
画面に画像を表示する表示手段を備える表示装置の制御方法であって、
前記画面の前記画像が表示される表示領域の大きさを取得する第１取得ステップと、
前記表示領域の大きさに基づいて、設定可能な表示輝度の範囲を決定する決定ステップと、
前記決定ステップで決定された前記表示輝度の範囲で、前記画面に表示される前記画像の表示輝度を設定する設定ステップと、
設定された前記表示輝度に基づいて、前記画像が表示されるように前記表示手段を制御する制御ステップと、
を備え、
前記表示領域の大きさが第１の大きさである場合に、前記決定ステップは、前記表示輝度の範囲として第１の輝度範囲を決定し、前記表示領域の大きさが第１の大きさよりも大きい第２の大きさである場合に、前記決定ステップは、前記表示輝度の範囲として第２の輝度範囲を決定し、前記第２の輝度範囲の上限の輝度は、前記第１の輝度範囲の上限の輝度よりも小さいことを特徴とする表示装置の制御方法。
【請求項１２】
前記表示手段の前記画面の大きさを取得する第２取得ステップと、
前記画像の大きさを取得する第３取得ステップと、
を備え、
前記第１取得ステップは、前記画面の大きさと、前記画像の大きさとに基づいて、前記表示領域の大きさを取得することを特徴とする請求項１１に記載の表示装置。
【請求項１３】
前記入力画像を拡大して前記画像を生成する拡大処理ステップと、
前記拡大処理ステップが前記入力画像を拡大する拡大率を設定する拡大率設定ステップと、
を備えることを特徴とする請求項１１または請求項１２に記載の表示装置の制御方法。
【請求項１４】
前記拡大率を示す第１の付加画像を生成する第１生成ステップを備え、
前記制御ステップは、前記第１の付加画像が前記画面に表示されるように、前記表示手段を制御することを特徴とする請求項１３に記載の表示装置の制御方法。
【請求項１５】
前記決定ステップが決定した表示輝度の範囲と、前記設定ステップが設定した表示輝度とを示す第２の付加画像を生成する第２生成ステップを備え、
前記制御ステップは、前記第２の付加画像が前記画面に表示されるように、前記表示手段を制御することを特徴とする請求項１１乃至請求項１４のいずれか１項に記載の表示装置の制御方法。
【請求項１６】
前記表示装置の周囲の明るさを検出する照度検出ステップを備え、
前記決定ステップは、前記照度検出ステップが検出した明るさと、前記表示領域の大きさとに基づいて、前記設定ステップで設定可能な表示輝度の範囲を決定することを特徴とする請求項１１乃至請求項１５のいずれか１項に記載の表示装置の制御方法。
【請求項１７】
前記表示装置の前記画面を視ているユーザと前記画面との距離を測定する距離測定ステップを備え、
前記設定ステップは、前記距離測定ステップが検出した前記距離と、前記表示領域の大きさとに基づいて、前記設定ステップが設定可能な表示輝度の範囲を決定することを特徴とする請求項１１乃至請求項１６のいずれか１項に記載の表示装置の制御方法。
【請求項１８】
画面に画像を表示する表示手段を備える表示装置の制御方法であって、
前記画面に表示される前記画像の表示輝度を設定する設定ステップと、
前記設定ステップが設定可能な表示輝度の上限値を取得する取得ステップと、
前記取得ステップが取得した表示輝度の範囲の上限値に基づいて、前記画面に前記画像が表示される表示領域の大きさを設定する決定ステップと、
前記設定ステップが設定した表示輝度に基づいて、前記決定ステップが設定した前記表示領域に前記画像を表示するように前記表示手段を制御する制御ステップと、
を備え、
前記表示輝度の上限値が第１の輝度である場合に、前記決定ステップは、前記表示領域の大きさを第１の大きさに設定し、前記表示輝度の上限値が前記第１の輝度よりも高い第２の輝度である場合に、前記決定ステップは、前記表示領域の大きさを前記第１の大きさよりも小さい第２の大きさに設定することを特徴とする表示装置。
【請求項１９】
請求項１１乃至請求項１８のいずれか１項に記載の表示装置の制御方法を実行することが可能な演算処理装置で実行可能なプログラム。
【請求項２０】
請求項１９に記載のプログラムを記録した、演算処理装置が読取可能な記録媒体。
【発明の詳細な説明】
【技術分野】
【０００１】
本発明は、表示輝度を設定可能な表示装置及びその制御方法に関する。
【背景技術】
【０００２】
高いダイナミックレンジの画像を表示するために、高輝度で画像を表示することが可能な表示装置がある。このような表示装置では、ユーザが、画面に表示される表示輝度の最大値を設定することが可能である。
【０００３】
一方、大画面で高輝度の画像が表示された場合、画像を視ているユーザに画面から照射される光の光量が多くなる。このとき、ユーザがまぶしさを感じ、画面の視認性が低下してしまうことがあった。
【０００４】
特許文献１に記載の表示装置は、画面に表示される画像の大きさが変化した場合に、ユーザが設定した表示輝度の設定値を、画像の大きさの変化に応じて制御する技術が開示されている。これにより、画像の大きさが変化した場合に、画面全体の明るさが変化することを低減することが可能となる。
【先行技術文献】
【特許文献】
【０００５】
【特許文献１】特開２０１１−１９９６５８号公報
【発明の概要】
【発明が解決しようとする課題】
【０００６】
しかしながら、上述した従来の技術では、ユーザが設定することが可能な表示輝度の設定範囲は変化しない。したがって、ユーザの操作により、表示装置の表示輝度の設定値が高輝度に高められる場合があった。このとき、ユーザは、眩しさを感じることがある。
【０００７】
そこで、本発明は、上記課題に鑑みて、画面に表示される画像の大きさが大きくなった場合に、ユーザが感じるまぶしさの増加を抑制することが可能な表示装置を提供することを目的とする。
【課題を解決するための手段】
【０００８】
上述した課題を解決するために、本発明の表示装置は、画面に画像を表示する表示手段と、画面の画像が表示される表示領域の大きさを取得する第１取得手段と、表示領域の大きさに基づいて、設定可能な表示輝度の範囲を決定する決定手段と、決定手段が決定した表示輝度の範囲で、画面に表示される画像の表示輝度を設定する設定手段と、
設定された表示輝度に基づいて、画像が表示されるように表示手段を制御する制御手段と、を備え、表示領域の大きさが第１の大きさである場合に、決定手段は、表示輝度の範囲として第１の輝度範囲を決定し、表示領域の大きさが第１の大きさよりも大きい第２の大きさである場合に、決定手段は、表示輝度の範囲として第２の輝度範囲を決定し、第２の輝度範囲の上限の輝度は、第１の輝度範囲の上限の輝度よりも小さいことを特徴とする。
【発明の効果】
【０００９】
本発明の表示装置によれば、画面に表示される画像の大きさに応じて、表示輝度の設定範囲を制御する。したがって、画面に表示される画像の大きさが大きくなった場合、ユーザが感じるまぶしさの増加を抑制することが可能となる。
【図面の簡単な説明】
【００１０】
【図１】第１の実施例に係る表示装置の構成を示す第１の装置構成図である。
【図２】第１の実施例に係る表示装置の各機能ブロックを示した第１のブロック図である。
【図３】表示領域の大きさＳｒと上限輝度ＢＬＭとの関係を示す領域−輝度情報を示した表である。
【図４】表示部に表示された画像を示す模式図である。
【図５】スケーラ画像および輝度画像の取り得る形態を示した模式図である。
【図６】第１の実施例における表示装置の表示制御フローを示すフローチャートである。
【図７】第１の実施例における表示輝度設定処理のフローを示すフローチャートである。
【図８】第２の実施例に係る表示装置の第２の装置構成図である。
【図９】第２の実施例における表示装置の各機能ブロックを示す第２のブロック図である。
【図１０】第２の実施例における表示領域の大きさＳｒと、照度Ｂｒと、上限輝度ＢＬＭとの関係を示す領域−照度−輝度情報を示した表である。
【図１１】第２の実施例における表示装置の表示制御フローを示すフローチャートである。
【図１２】第２の実施例における表示輝度設定処理のフローを示すフローチャートである。
【図１３】第３の実施例に係る表示装置の第３の装置構成図である。
【図１４】第３の実施例における表示装置の各機能ブロックを示す第３のブロック図である。
【図１５】第３の実施例における表示領域の大きさＳｒと、距離Ｌと、上限輝度ＢＬＭとの関係を示す領域−距離−輝度情報を示した表である。
【図１６】第３の実施例における表示装置の表示制御フローを示すフローチャートである。
【図１７】第３の実施例における表示輝度設定処理のフローを示すフローチャートである。
【図１８】第４の実施例の表示装置の各機能ブロックを示す第４のブロック図である。
【図１９】上限輝度ＢＬＭと、表示領域の大きさＳｒとを関連付けた情報を示す表である。
【発明を実施するための形態】
【００１１】
以下、図面を用いて本発明の実施の形態について説明する。なお、本発明の技術的範囲は、特許請求の範囲によって確定され、以下に例示する実施例によって限定されるものではない。また、実施例の中で説明されている特徴の組み合わせすべてが本発明に必須とは限らない。本明細書および図面に記載の内容は例示であって、本発明を制限するものと見なすべきではない。本発明の趣旨に基づき種々の変形（各実施例の有機的な組合せを含む）が可能であり、それらを本発明の範囲から除外するものではない。即ち、各実施例及びその変形例を組み合わせた構成も全て本発明に含まれるものである。
【００１２】
（第１の実施例）
以下、本発明の第１の実施例に係る表示装置について、説明する。
【００１３】
図１は、本発明の第１の実施例に係る表示装置１の構成を示す装置構成図である。表示装置１は、表示部２、入力デバイス３、ストレージ４、メモリ５、入力インターフェース（Ｉｎｔｅｒ  Ｆａｃｅ、以降、入力Ｉ／Ｆ）６、および制御基板１００を備える。
【００１４】
表示部２は、液晶パネルとバックライトとを備える液晶ディスプレイである。表示部２は、制御基板１００の制御に基づいて、画面２ａに画像を表示する。表示部２は、液晶パネルを用いたディスプレイに限らない。表示部２は、有機ＥＬ（Ｅｌｅｃｔｒｏ  Ｌｕｍｉｎｅｓｃｅｎｃｅ）を素子に用いた有機ＥＬディスプレイ等の自発光型のディスプレイであってもよい。
【００１５】
第１の実施例において、表示部２の画面２ａは、水平方向に３８４０画素、垂直方向に２１６０画素のマトリックス状に配置された画素を有する。以降、左記のような画素数を３８４０×２１６０と表記する。また、表示部２の画面２ａの対角線の長さは、４０インチである。以降、画面２ａの大きさや、画面２ａにおいて画像が表示される表示領域の大きさＳｒは、対角線の長さを用いて示す。
【００１６】
入力デバイス３は、入力Ｉ／Ｆ６を介して、ユーザの指示を制御基板１００に入力するデバイスである。入力デバイス３は、キーボード３ａおよびジョイスティック３ｂを備える。入力デバイス３は、マウス等の入力装置を用いることも可能である。ユーザは、入力デバイス３を用いて、表示部２に表示する画像データの選択や、表示部２の表示輝度の設定値を指示することが可能である。
【００１７】
ストレージ４は、表示装置１が表示する画像データを記憶する記憶媒体である。ストレージ４は、ハードディスクドライブ等の不揮発性の記憶媒体である。ストレージ４は、制御基板１００に画像データを出力する。なお、制御基板１００に供給される画像データは、ストレージ４から出力される画像データに限らない。表示装置１が外部機器と接続し、制御基板１００に外部機器から画像データが供給されてもよい。
【００１８】
メモリ５は、制御基板１００が実行可能な表示部２の制御に用いるプログラムやパラメータ等を保管する記憶媒体である。メモリ５は、制御基板１００が記憶されたプログラムやパラメータを読取可能であるように、制御基板１００と接続されている。メモリ５は、不揮発性のハードディスク等の記録媒体である。
【００１９】
入力Ｉ／Ｆ６は、入力デバイス３からの入力されたユーザの指示を、制御基板１００に入力するインターフェースである。入力Ｉ／Ｆ６は、入力デバイス３から入力された指示を、制御基板１００が使用可能な形式に変換して、制御基板１００に出力するものであってもよい。
【００２０】
制御基板１００は、ストレージ４から取得した画像データに基づいて、表示部２が画像を表示するように、表示部２を制御する演算処理装置（プロセッサ）を備えた制御基板である。また、制御基板１００は、ユーザが設定した最大輝度に基づいて画像が表示されるように、表示部２を制御する。最大輝度は、画面２ａに表示することが可能な最大の輝度値である。例えば、最大輝度は、全白画像を表示する場合に、画面２ａから発せられる光の輝度である。
【００２１】
制御基板１００は、画面２ａの画像が表示される表示領域の大きさＳｒに基づいて、表示部２に設定可能な最大輝度の設定範囲を決定する。具体的には、制御基板１００は、表示領域の大きさＳｒが所定の大きさより大きい場合に、表示領域の大きさＳｒが所定の大きさ以下である場合よりも、表示部２に設定可能な最大輝度の上限値が、小さくなるように、最大輝度の設定範囲を決定する。
【００２２】
制御基板１００は、メモリ５から読み出したプログラムおよびパラメータを用いて、後述する各機能を発揮して表示部２を制御する。また、制御基板１００が発揮する機能の一部、もしくは全ては、電子回路等のハードウェアで実行することも可能である。
【００２３】
図２は、表示装置１の各機能ブロックを示したブロック図である。制御基板１００は、入力部１０１、画像処理部１０２、拡大率設定部１０３、スケーラ処理部１０４、画像サイズ取得部１０５、画面情報取得部１０６、領域サイズ取得部１０７、輝度範囲決定部１０８、輝度設定部１０９、スケーラ画像生成部１１０、輝度画像生成部１１１、画像合成部１１２、および表示制御部１１３を備える。
【００２４】
入力部１０１は、ストレージ４から入力された入力画像データを取得するインターフェースである。入力部１０１は、取得した入力画像データを画像処理部１０２に出力する。入力部１０１は、入力画像データを、他の機能ブロックが操作可能な形式に変換して出力してもよい。第１の実施例において、入力画像データは９６０×５４０の画素数を有する画像データである。
【００２５】
画像処理部１０２は、入力画像データに対して、所定の画像処理を行い補正画像データを生成する。所定の画像処理は、ガンマ変換等の階調変換処理等、ユーザや製品の仕様によって任意に設定することが可能である。画像処理部１０２は、補正画像データをスケーラ処理部１０４に出力する。
【００２６】
拡大率設定部１０３は、入力Ｉ／Ｆ６から取得した指示に基づいて、スケーラ処理部１０４が補正画像データを拡大する拡大率を設定する。拡大率は、スケーラ処理部１０４が補正画像データを拡大する際の、拡大倍率である。拡大倍率は、０．１、０．５、１．０、２．０および４．０等のように表わされる。拡大率設定部１０３は、設定された拡大率を、スケーラ処理部１０４に出力する。また、拡大率設定部１０３は、画像の水平方向と垂直方向とに対してそれぞれ個別の拡大率を設定してもよい。
【００２７】
なお、ユーザは、画面２ａに対する画像の表示サイズの表示倍率としても設定してもよい。表示倍率は、画面２ａに対して、画像が表示される表示領域の割合であり、画面２ａの大きさを基準として、１／１（等倍）、１／２、および１／４等のように表わされる。ユーザが表示倍率を指定した場合、拡大率設定部１０３は、画面２ａの画素数と、補正画像データの画素数とを用いて、補正画像データの拡大倍率を算出し、スケーラ処理部１０４に出力する。
【００２８】
スケーラ処理部１０４は、拡大率に基づいて補正画像データに拡大処理を施して、拡大画像データを生成する。スケーラ処理部１０４は、拡大画像データを画像合成部１１２と、画像サイズ取得部１０５に出力する。
【００２９】
画像サイズ取得部１０５は、拡大画像データの大きさを取得する。具体的には画像サイズ取得部１０５は、拡大画像データの水平方向の画素数と、垂直方向の画素数とを取得する。画像サイズ取得部１０５は、拡大画像データの水平方向の画素数と垂直方向の画素数とを領域サイズ取得部１０７に出力する。なお、画像サイズ取得部１０５は、水平方向もしくは垂直方向のどちらか一方の画素数と、画像データのアスペクト比とを取得するものであってもよい。
【００３０】
画面情報取得部１０６は、メモリ５から画面２ａの大きさと、画面２ａの画素数を取得して、領域サイズ取得部１０７に出力する。第１の実施例において、画面情報取得部１０６は、画面２ａの大きさとして、４０インチを取得し、かつ、画面２ａの画素数として３８４０×２１６０を取得する。
【００３１】
領域サイズ取得部１０７は、拡大画像データの画素数、画面２ａの大きさ、および画面２ａの画素数を用いて、画面２ａに画像が表示される表示領域の大きさＳｒを取得する。具体的には、領域サイズ取得部１０７は、拡大画像データの画素数を画面２ａの画素数で除算し、さらに画面２ａの大きさを乗算することによって、表示領域の大きさＳｒを算出して取得する。領域サイズ取得部１０７は、表示領域の大きさＳｒを輝度範囲決定部１０８に出力する。
【００３２】
輝度範囲決定部１０８は、取得した表示領域の大きさＳｒに基づいて、表示部２に設定可能な最大輝度の設定範囲を決定する。具体的には、輝度範囲決定部１０８は、取得した表示領域の大きさＳｒとに基づいて、表示部２に設定可能な最大輝度の上限値（上限輝度）ＢＬＭを決定する。輝度範囲決定部１０８は、メモリ５から表示領域の大きさＳｒと上限輝度ＢＬＭとの関係を示す領域−輝度情報を取得し、領域−輝度情報と、表示領域の大きさＳｒとに基づいて、上限輝度ＢＬＭを決定する。輝度範囲決定部１０８は、決定した表示輝度の範囲を輝度設定部１０９と、輝度画像生成部１１１とに出力する。
【００３３】
図３は、表示領域の大きさＳｒと上限輝度ＢＬＭとの関係を示す領域−輝度情報を示した表である。第１の実施例において、表示領域の大きさＳｒが１０インチ未満に対する上限輝度ＢＬＭに４０００ｎｉｔが関連付けられている。表示領域の大きさＳｒが１０インチ以上２０インチ未満に対する上限輝度ＢＬＭに、３０００ｎｉｔが関連づけられている。表示領域の大きさＳｒが２０インチ以上４０インチ未満に対する上限輝度ＢＬＭに、２０００ｎｉｔが関連付けられている。表示領域の大きさＳｒが４０インチ以上に対する上限輝度ＢＬＭに、１０００ｎｉｔがそれぞれ関連付けられている。
【００３４】
つまり、第１の実施例において、表示領域の大きさＳｒが、１０インチである場合に、輝度範囲決定部１０８は、３０００ｎｉｔを上限輝度ＢＬＭとして決定する。そして、表示領域の大きさＳｒが、１０インチよりも大きい３０インチである場合に、輝度範囲決定部１０８は、３０００ｎｉｔよりも低い２０００ｎｉｔを上限輝度ＢＬＭとして決定する
なお、表示領域の大きさＳｒと上限輝度ＢＬＭとの関係は、上述のようにステップ状の関係に限られず、表示領域の大きさＳｒが大きくなるほど、上限輝度ＢＬＭが小さくなるものであってもよい。例えば、輝度範囲決定部１０８は、表示領域の大きさＳｒと上限輝度ＢＬＭとの関係が、線形の関係になるように、上限輝度ＢＬＭを決定することも可能である。表示領域の大きさＳｒと上限輝度ＢＬＭとの関係は、線形以外の関係であってもよい。
【００３５】
輝度設定部１０９は、取得した表示輝度の範囲内で、入力Ｉ／Ｆ６から入力された指示に応じて、表示部２の最大輝度を設定する。具体的には、輝度設定部１０９は、ユーザの入力に応じて、上限輝度ＢＬＭ以下の輝度を最大輝度として設定する。輝度設定部１０９は、設定した最大輝度を、輝度画像生成部１１１と、表示制御部１１３と、に出力する。
【００３６】
表示装置１において、表示領域の大きさＳｒが変更され、上限輝度ＢＬＭが変更した場合、輝度設定部１０９は、表示部２に設定する最大輝度を変更する。表示領域の大きさＳｒが変更される前に設定されていた最大輝度が、表示領域の大きさＳｒが変更されたことによって、上限輝度ＢＬＭを上回る場合、輝度設定部１０９は、変更後の上限輝度ＢＬＭを最大輝度に設定する。また、表示領域の大きさＳｒが変更される前に設定されていた最大輝度が、表示領域の大きさＳｒが変更されたあとの上限輝度ＢＬＭ以下である場合、輝度設定部１０９は、変更前の最大輝度を表示部２に設定する。
【００３７】
なお、表示領域の大きさＳｒが変更される前に設定されていた最大輝度が、表示領域の大きさＳｒが変更されたあとの上限輝度ＢＬＭ以下である場合、輝度設定部１０９は、変更前後の上限輝度ＢＬＭの変化率に応じて、最大輝度の設定値を変更してもよい。これにより、表示領域の大きさＳｒによらず、画面２ａから照射される光の発光量の総量の変化が抑制され、ユーザが明るさの変化を意識せずに画像を視ることが可能となる。
【００３８】
スケーラ画像生成部１１０は、拡大率設定部１０３から取得した拡大率を用いて、ユーザに拡大率を示す付加画像であるスケーラ画像を生成して、画像合成部１１２に出力する。なお、スケーラ画像は、ユーザがスケーラ画像に表示された目盛り等を、入力Ｉ／Ｆ６を操作することにより、拡大率を設定することが可能な設定ユーザーインターフェース画像（Ｕｓｅｒ  Ｉｎｔｅｒｆａｃｅ、ＵＩ）であってもよい。
【００３９】
輝度画像生成部１１１は、輝度範囲決定部１０８から取得した最大輝度の設定範囲と、輝度設定部１０９から取得した最大輝度とを用いて、最大輝度の設定範囲と設定された最大輝度とを示す付加画像である輝度画像を生成して、画像合成部１１２に出力する。なお、輝度画像は、ユーザが輝度画像に表示された目盛り等を、入力Ｉ／Ｆ６を操作することにより、設定された最大輝度を設定することが可能な設定ＵＩ画像であってもよい。
【００４０】
画像合成部１１２は、拡大画像データと、スケーラ画像と、輝度画像とを合成して、表示画像データを生成して、表示制御部１１３に出力する。
【００４１】
表示制御部１１３は、設定された最大輝度で、表示画像データに基づいた画像が表示されるように、表示部２を制御する。具体的には、表示制御部１１３は、設定された最大輝度に基づいて、表示部２のバックライトの発光輝度を設定する。さらに、表示制御部１１３は、表示画像データに基づいて、液晶パネルの液晶素子の透過率を制御する。
【００４２】
図４を用いて、第１の実施例における表示装置１の効果を説明する。図４は、表示部２に表示された画像を示す模式図である。
【００４３】
図４（ａ）は、拡大率を等倍（１倍）に設定した場合に表示部２に表示される画像を示した模式図である。画面２ａの中央に拡大画像データに基づく画像１０Ａが表示される。画面２ａの周囲は、黒画像が表示される。また、スケーラ画像１０Ｂ、および輝度画像１０Ｃが、画面２ａの右上に合成されて表示される。
【００４４】
拡大率が等倍である場合、入力画像データの画素数が９６０×５４０、画面２ａの画素数が３８４０×２１６０、および画面２ａの大きさが４０インチであることから、表示領域の大きさＳｒは、１０インチとなる。したがって、輝度範囲決定部１０８は、図３に示した領域−輝度情報に基づいて、上限輝度ＢＬＭを３０００ｎｉｔに決定する。輝度設定部１０９は、上限輝度ＢＬＭ以下で、最大輝度を設定することが可能である。図４（ａ）は、ユーザが最大輝度を３０００ｎｉｔに設定して画像を表示した場合を示している。
【００４５】
図４（ｂ）は、拡大率を４倍に設定した場合に、表示部２に表示される画像を示した模式図である。拡大率が４倍である場合、拡大画像データの画素数は３８４０×２１６０となり、画面２ａと同等となる。したがって、表示領域の大きさＳｒは、４０インチとなる。輝度範囲決定部１０８は、図３に示した領域−輝度情報に基づいて、上限輝度ＢＬＭを１０００ｎｉｔに決定する。輝度設定部１０９は、上限輝度ＢＬＭ以下で、最大輝度を設定する。図４（ｂ）は、ユーザが最大輝度を１０００ｎｉｔに設定して画像を表示した場合を示している。
【００４６】
第１の実施例の表示装置１において、表示領域の大きさＳｒが１０インチである場合に表示部２に設定可能な上限輝度ＢＬＭは、３０００ｎｉｔである。そして、表示領域の大きさＳｒが４０インチである場合に表示部２に設定可能な上限輝度ＢＬＭは、３０００ｎｉｔよりも小さい１０００ｎｉｔである。言い換えると、表示領域の大きさＳｒが１０インチである場合に表示部２に設定可能な輝度の範囲は、表示領域の大きさＳｒが４０インチである場合に表示部２に設定可能な輝度の範囲よりも広い。
【００４７】
ユーザが、図４（ａ）に示すように拡大率を等倍として画像を視ている際に、拡大率を４倍に変更した場合、制御基板１００は、画面２ａに表示される画像の大きさを変更するとともに、表示部２に設定可能な上限輝度ＢＬＭを変更する。表示領域の大きさＳｒが大きくなることに応じて上限輝度ＢＬＭが１０００ｎｉｔに変更される。このとき、制御基板１００の輝度設定部１０９は、最大輝度を１０００ｎｉｔに制御する。
【００４８】
したがって、表示部２おける表示領域が大きい場合に、表示部２に設定可能な最大輝度の上限値が小さくなることによって、表示領域の大きさＳｒが大きくても、画面から照射される光の光量が、制限される。したがって、大きな表示領域で画面を表示しても、ユーザがまぶしさを感じることを抑制することが可能となる。
【００４９】
図５は、スケーラ画像１０Ｂおよび輝度画像１０Ｃの取り得る形態を示した模式図である。図５（ａ）は、拡大率を画像データの拡大倍率で示したスケーラ画像１０Ｂと、輝度画像１０Ｃの模式図である。スケーラ画像１０Ｂは、現在設定されている拡大率と、拡大率の設定可能範囲とを、目盛りを用いて表示する。ユーザは、スケーラ画像１０Ｂに表示されたボタンを操作することにより、拡大率を変更することが可能である。また、ユーザが設定した拡大率は、メモリの右側に数値で表示される。図５（ａ）のスケーラ画像１０Ｂは、拡大率が３．０倍に設定されていることを示している。
【００５０】
図５（ａ）に示した例では、入力画像データの画素数が９６０×５６０に対して、拡大率が３．０倍に設定される。画面２ａの画素数３８４０×２１６０、および画面２ａの大きさが４０インチであることから、表示領域の大きさＳｒは３０インチとなる。したがって、上限輝度ＢＬＭは２０００ｎｉｔに決定される。
【００５１】
輝度画像１０Ｃは、調整可能な最大輝度の範囲と、表示部２に設定されている最大輝度とを、目盛りを用いて表示する。目盛りの上限値は、輝度範囲決定部１０８が決定した上限輝度ＢＬＭである。したがって、輝度画像１０Ｃには、表示される最大輝度の調整可能な範囲の上限として２０００ｎｉｔが表示される。
【００５２】
ユーザは、輝度画像１０Ｃに表示されたボタンを操作することにより、最大輝度の設定値を変更することが可能である。また、輝度画像１０Ｃの目盛りの右側には、ユーザが設定した最大輝度の値が表示される。図５（ａ）の場合、ユーザは２０００ｎｉｔを最大輝度として設定したことを示している。
【００５３】
図５（ｂ）は、拡大率を、表示領域のサイズの画面２ａのサイズに対する比率（表示倍率）で示したスケーラ画像１０Ｂと、輝度画像１０Ｃとの模式図である。図５（ｃ）は、拡大率を、表示領域の大きさＳｒで示したスケーラ画像１０Ｂと輝度画像１０Ｃとの模式図である。スケーラ画像１０Ｂに示す情報は、ユーザが画面２ａに表示される画像の大きさを把握できるものであればよい。また、輝度画像１０Ｃに表示される最大輝度、および上限輝度は、図５（ａ）から（ｃ）に示すようにｎｉｔの単位に限らず、ｃｄ／ｍ２等の単位で表わしてもよい。
【００５４】
第１の実施例によれば、表示領域の大きさＳｒが所定の大きさである場合に決定される表示部２に設定可能な最大輝度の範囲は、表示領域の大きさＳｒが所定の大きさよりも小さい場合に決定される表示部２に設定可能な最大輝度の範囲よりも狭い。したがって、画面２ａに表示される画像の大きさが大きい場合に、ユーザが、表示部２に設定する輝度が高くなることを抑制することが可能となる。したがって、画面に表示される画像の大きさが大きくなった場合に、ユーザが感じるまぶしさが増加することを抑制することが可能となる。
【００５５】
なお、上述の制御基板１００の各機能ブロックが発揮する機能は、制御基板１００が備えるプロセッサが、メモリ５から読み出したプログラムによって、各機能ブロックの機能と同等の処理ステップを実行することによって、実現することも可能である。
【００５６】
図６は、第１の実施例における表示装置の表示制御フローを示すフローチャートである。また、図７は、第１の実施例における表示輝度設定処理のフローを示すフローチャートである。
【００５７】
Ｓ１０１は、画像データを取得する画像データの取得する処理を実行するステップである。画像データは、ストレージ４から取得した画像データ、もしくはストレージ４から取得した画像データに対して所定の画像処理を施したものであってもよい。
【００５８】
Ｓ１０２は、入力Ｉ／Ｆ６からユーザが指定した拡大率を取得する処理を実行するステップである。Ｓ１０３は、Ｓ１０１で取得した画像データと、Ｓ１０２で取得した拡大率とを用いて、画像データに拡大処理を施して拡大画像データを生成する処理を実行するステップある。
【００５９】
Ｓ１１０は、Ｓ１０１で取得した画像データと、Ｓ１０２で取得した拡大率とを用いて、表示部２の表示輝度を設定する処理を実行するステップである。図７は、Ｓ１１０の表示輝度設定処理のサブフローを示すフローチャートである。
【００６０】
Ｓ１１１は、Ｓ１０１で取得した画像データの画像サイズを取得する処理を実行するステップである。Ｓ１１２は、Ｓ１１１で取得した画像サイズと、メモリ５から取得した表示部２の画面２ａの画素数、および大きさとを用いて、画面２ａにおける表示領域の大きさＳｒ（領域サイズ）を取得する処理を実行するステップである。
【００６１】
Ｓ１１３は、Ｓ１１２で取得した表示領域の大きさＳｒを用いて、表示部２に対して設定可能な輝度の範囲を決定する処理を実行するステップである。Ｓ１１３では、輝度範囲決定部１０８の処理と同様に、表示領域の大きさＳｒが大きいほど、設定可能な輝度の範囲の上限値が小さくなるように、輝度の範囲が決定される。
【００６２】
Ｓ１１４は、Ｓ１１３で決定された輝度の範囲で、入力Ｉ／Ｆ６から入力された輝度設定値に基づいて、表示部２の表示輝度を設定する処理を実行するステップである。Ｓ１１４をもって、表示輝度設定処理のサブフローは終了し、処理はＳ１０４に進む。
【００６３】
Ｓ１０４は、Ｓ１１０で設定された表示輝度に基づいて、Ｓ１０３で生成された拡大画像データを用いて、表示部２の画面２ａに画像が表示されるように表示部２を制御するステップである。
【００６４】
なお、Ｓ１０３とＳ１１０とのステップは、Ｓ１０２の後に並行して実行されていてもよい。
【００６５】
（第２の実施例）
以下、本発明の第２の実施例に係る表示装置について、説明する。
【００６６】
表示装置の周辺の明るさが暗い場合、ユーザは、低い輝度で表示された画像でも、まぶしいと感じることがある。第２の実施例に係る表示装置１は、画面２ａに画像が表示される表示領域の大きさＳｒと、表示装置１の周囲の明るさ（照度）に応じて、表示装置１に設定可能な輝度の範囲を制御することにより、表示装置１の視認性を好適に制御する。
【００６７】
図８は、第２の実施例に係る表示装置１の装置構成図である。第２の実施例に係る表示装置１は、表示部２、入力デバイス３、ストレージ４、メモリ５、入力Ｉ／Ｆ６、照度センサ７、および制御基板１００を備える。第１の実施例に係る表示装置１と同一の符号を付した部材については、同一の機能を発揮することから、説明を省略する。
【００６８】
照度センサ７は、表示装置１の周囲の明るさ（照度）Ｂｒを検出する照度検出装置である。照度センサ７は、検出した照度Ｂｒを制御基板１００に出力する。
【００６９】
制御基板１００は、ストレージ４から取得した入力画像データに基づいて、表示部２が画像を表示するように、表示部２を制御する制御基板である。また、制御基板１００は、ユーザが設定した最大輝度に基づいて画像が表示されるように、表示部２を制御する。制御基板１００は、照度Ｂｒと、画面２ａの画像が表示される表示領域の大きさＳｒとに基づいて、表示部２に設定可能な最大輝度の範囲を決定する。具体的には、制御基板１００は、表示領域の大きさＳｒが大きいほど、表示部２に設定可能な最大輝度の上限値（上限輝度）ＢＬＭが小さくなり、さらに、照度Ｂｒが大きいほど、上限輝度ＢＬＭが大きくなるように、最大輝度の範囲を決定する。
【００７０】
図９は、第２の実施例における表示装置１の各機能ブロックを示すブロック図である。制御基板１００は、第１の実施例と同様の各機能ブロックに加え、照度取得部２００を備える。第１の実施例と同名かつ同符号を付した機能ブロックは、第１の実施例と同様の機能を発揮するため、説明を省略する。
【００７１】
照度取得部２００は、照度センサ７から、表示装置１の周囲の照度Ｂｒを取得する。照度取得部２００は、取得した照度Ｂｒを輝度範囲決定部２０８に出力する。
【００７２】
輝度範囲決定部２０８は、領域サイズ取得部１０７から取得した表示領域の大きさＳｒと、照度取得部２００から取得した照度Ｂｒとに基づいて、表示部に設定可能な最大輝度の上限値（上限輝度）を決定する。輝度範囲決定部２０８は、メモリ５から、表示領域の大きさＳｒと、照度Ｂｒと、上限輝度ＢＬＭとの関係を示す領域−照度−輝度情報を取得する。
【００７３】
図１０は、第２の実施例における表示領域の大きさＳｒと、照度Ｂｒと、上限輝度ＢＬＭとの関係を示す領域−照度−輝度情報を示した表である。第２の実施例では、照度Ｂｒが１０００Ｌｕｘ以上１００００Ｌｕｘ未満である場合に、表示装置１の周囲の明るさが標準的な明るさであるとする。照度Ｂｒが１０００Ｌｕｘ未満である場合、言い換えると表示装置１の周囲の明るさが標準的な明るさよりも暗い場合、表示領域の大きさＳｒに対する上限輝度ＢＬＭは、標準的な明るさの場合よりも小さくなるように関連付けられている。
【００７４】
また、照度Ｂｒが１００００Ｌｕｘ以上である場合、言い換えると表示装置１の周囲の明るさが標準的な明るさよりも明るい場合、表示領域の大きさＳｒに対する上限輝度ＢＬＭは、標準的な明るさの場合よりも大きくなるように関連付けられている。
【００７５】
なお、表示領域の大きさＳｒと、照度Ｂｒと、上限輝度ＢＬＭとの関係は上述に限られない。表示部２の特性に応じて、任意に設定可能である。
【００７６】
輝度範囲決定部２０８は、図１０に示す領域−照度−輝度情報、取得した表示領域の大きさＳｒ、および取得した照度Ｂｒとを用いて、上限輝度ＢＬＭを決定して、輝度設定部１０９に出力する。
【００７７】
第２の実施例の表示装置１によれば、画面２ａに画像が表示される表示領域の大きさＳｒと、表示装置１の周囲の明るさ（照度Ｂｒ）に応じて、表示部２に設定可能な輝度の範囲を決定する。したがって、画面２ａに表示される画像の大きさが大きい場合に、ユーザが、表示部２に設定する輝度が高くなることを抑制することが可能となる。したがって、画面に表示される画像の大きさが大きくなった場合に、ユーザが感じるまぶしさが増加することを抑制することが可能となる。さらに、表示装置１の周囲の明るさに応じて、表示部２に設定可能な輝度の範囲を決定することにより、表示装置１の周囲の明るさの変化によりユーザが眩しさを感じることを抑制することが可能となる。
【００７８】
なお、第２の実施例では、表示領域の大きさＳｒと、照度Ｂｒと、に基づいて、上限輝度ＢＬＭを決定したが、表示領域の大きさＳｒに基づいて決定した上限輝度ＢＬＭを、照度Ｂｒに基づいて、補正して上限輝度ＢＬＭを決定することも可能である。
【００７９】
なお、上述の制御基板１００の各機能ブロックが発揮する機能は、制御基板１００が備えるプロセッサが、メモリ５から読み出したプログラムによって、各機能ブロックの機能と同等の処理ステップを実行することによって、実現することも可能である。
【００８０】
図１１は、第２の実施例における表示装置の表示制御フローを示すフローチャートである。Ｓ１０１からＳ１０４の各ステップは、第１の実施例の同符号を付した各ステップと同様の処理を実行するため、説明を省略する。
【００８１】
Ｓ１２０は、Ｓ１０１で取得した画像データと、Ｓ１０２で取得した拡大率と、表示部２の周辺の明るさ（照度Ｂｒ）を用いて、表示部２の表示輝度を設定する処理を実行するステップである。図１２は、Ｓ１２０の表示輝度設定処理のサブフローを示すフローチャートである。Ｓ１１１、Ｓ１１２、およびＳ１１４の各ステップは、第１の実施例の同符号を付した各ステップと同様の処理を実行するため、説明を省略する。
【００８２】
Ｓ１２１は、照度センサ７で検出された照度Ｂｒを取得する処理を実行する処理ステップである。Ｓ１２３は、Ｓ１１２で取得された表示領域の大きさＳｒと、Ｓ１２１で取得された照度Ｂｒとを用いて、表示部２に対して設定可能な輝度の範囲を決定する処理を実行するステップである。Ｓ１２３では、輝度範囲決定部２０８の処理と同様に、表示領域の大きさＳｒが大きいほど、設定可能な輝度の範囲の上限値が小さくなり、かつ、照度Ｂｒが大きいほど、設定可能な輝度の範囲の上限値が大きくなるように、輝度の範囲が決定される。
【００８３】
（第３の実施例）
以下、本発明の第３の実施例に係る表示装置について、説明する。
【００８４】
表示装置の画面と画面を視るユーザとの距離が近い場合、ユーザは、低い輝度で表示された画像でも、まぶしいと感じることがある。第３の実施例に係る表示装置１は、画面２ａに画像が表示される表示領域の大きさＳｒ、および表示装置１の画面２ａとユーザとの距離Ｌに応じて、表示装置１に設定可能な輝度の範囲を制御することにより、表示装置１の視認性を好適に制御する。
【００８５】
図１３は、第３の実施例に係る表示装置１の装置構成図である。第２の実施例に係る表示装置１は、表示部２、入力デバイス３、ストレージ４、メモリ５、入力Ｉ／Ｆ６、距離測定センサ８、および制御基板１００を備える。第１の実施例に係る表示装置１と同一の符号を付した部材については、同一の機能を発揮することから、説明を省略する。
【００８６】
距離測定センサ８は、画面２ａと、画面２ａを視ているユーザとの距離Ｌを測定するセンサである。距離測定センサ８は、測定した距離Ｌを制御基板１００に出力する。
【００８７】
制御基板１００は、ストレージ４から取得した画像データに基づいて、表示部２が画像を表示するように、表示部２を制御する制御基板である。また、制御基板１００は、ユーザが設定した最大輝度に基づいて画像が表示されるように、表示部２を制御する。制御基板１００は、距離測定センサ８から取得した距離Ｌと、画面２ａの画像が表示される表示領域の大きさＳｒとに基づいて、表示部２に設定可能な最大輝度の範囲を決定する。具体的には、制御基板１００は、表示領域の大きさＳｒが大きいほど、表示部２に設定可能な最大輝度の上限値（上限輝度）ＢＬＭが小さくなり、さらに、距離Ｌが近いほど、上限輝度ＢＬＭが小さくなるように、最大輝度の範囲を決定する。
【００８８】
図１４は、第３の実施例における表示装置１の各機能ブロックを示すブロック図である。制御基板１００は、第１の実施例と同様の各機能ブロックに加え、距離取得部３００を備える。第１の実施例と同名かつ同符号を付した機能ブロックは、第１の実施例と同様の機能を発揮するため、説明を省略する。
【００８９】
距離取得部３００は、輝度範囲決定部３０８が上限輝度を決定するために用いる距離Ｌを、距離測定センサ８から取得して、輝度範囲決定部３０８に出力する。ユーザが複数存在する場合、距離取得部３００は、最も画面２ａに近いユーザと画面２ａとの距離を距離Ｌとして、輝度範囲決定部３０８に出力する。なお、ユーザが複数存在する場合、距離取得部３００は、複数のユーザと画面２ａとの距離の平均位置を距離Ｌとして輝度範囲決定部３０８に出力することも可能である。
【００９０】
輝度範囲決定部３０８は、表示領域の大きさＳｒが大きいほど、上限輝度ＢＬＭが小さくなり、かつ、距離Ｌが近いほど、上限輝度ＢＬＭが小さくなるように、上限輝度ＢＬＭを決定する。輝度範囲決定部３０８は、表示領域サイズ取得部１８から取得した表示領域の大きさＳｒと、距離取得部３００から取得した距離Ｌと、に基づいて、上限輝度ＢＬＭを決定する。輝度範囲決定部３０８は、メモリ５から、表示領域の大きさＳｒと、距離Ｌと、上限輝度ＢＬＭとの関係を示す領域−距離−輝度情報を取得する。
【００９１】
図１５は、第３の実施例における表示領域の大きさＳｒと、距離Ｌと、上限輝度ＢＬＭとの関係を示す領域−距離−輝度情報を示した表である。第３の実施例では、距離Ｌが１ｍ以上２ｍ未満である場合に、ユーザの距離Ｌが標準的な距離であるとする。距離Ｌが１ｍ未満である場合、言い換えると距離Ｌが標準的な距離よりも近い場合、表示領域の大きさＳｒに対する上限輝度ＢＬＭは、標準的な距離の場合よりも小さくなるように関連付けられている。
【００９２】
また、距離Ｌが２ｍ以上である場合、言い換えると距離Ｌが標準的な距離よりも遠い場合、表示領域の大きさＳｒに対する上限輝度ＢＬＭは、標準的な距離の場合よりも大きくなるように関連付けられる。なお、表示領域の大きさＳｒと、距離Ｌと、上限輝度ＢＬＭとの関係は上述に限られない。表示部２の特性に応じて、任意に設定可能である。
【００９３】
輝度範囲決定部３０８は、領域−距離−輝度情報、表示領域の大きさＳｒ、および距離Ｌに基づいて、上限輝度ＢＬＭを設定して、輝度設定部１０９に出力する。
【００９４】
第３の実施例の表示装置１によれば、画面２ａに画像が表示される表示領域の大きさＳｒと、画面２ａとユーザとの距離Ｌに応じて、表示部２に設定可能な輝度の範囲を決定する。したがって、画面２ａに表示される画像の大きさが大きい場合に、ユーザが、表示部２に設定する輝度が高くなることを抑制することが可能となる。画面に表示される画像の大きさが大きくなった場合に、ユーザが感じるまぶしさが増加することを抑制することが可能となる。さらに、画面２ａとユーザとの距離Ｌに応じて、表示部２に設定可能な輝度の範囲を決定することにより、ユーザと画面２ａとの距離が近づいた場合に、ユーザが眩しさを感じることを抑制することが可能となる。
【００９５】
なお、第３の実施例では、表示領域の大きさＳｒと、距離Ｌとに基づいて、上限輝度ＢＬＭを決定したが、表示領域の大きさＳｒに基づいて決定した上限輝度ＢＬＭを、距離Ｌに基づいて、補正して上限輝度ＢＬＭを決定することも可能である。
【００９６】
なお、上述の制御基板１００の各機能ブロックが発揮する機能は、制御基板１００が備えるプロセッサが、メモリ５から読み出したプログラムによって、各機能ブロックの機能と同等の処理ステップを実行することによって、実現することも可能である。
【００９７】
図１６は、第２の実施例における表示装置の表示制御フローを示すフローチャートである。Ｓ１０１からＳ１０４の各ステップは、第１の実施例の同符号を付した各ステップと同様の処理を実行するため、説明を省略する。
【００９８】
Ｓ１２０は、Ｓ１０１で取得した画像データと、Ｓ１０２で取得した拡大率と、ユーザと表示部２との距離Ｌを用いて、表示部２の表示輝度を設定する処理を実行するステップである。図１７は、Ｓ１２０の表示輝度設定処理のサブフローを示すフローチャートである。Ｓ１１１、Ｓ１１２、およびＳ１１４の各ステップは、第１の実施例の同符号を付した各ステップと同様の処理を実行するため、説明を省略する。
【００９９】
Ｓ１３１は、照度センサ７で検出された距離Ｌを取得する処理を実行する処理ステップである。Ｓ１３３は、Ｓ１１２で取得された表示領域の大きさＳｒと、Ｓ１３１で取得された距離Ｌとを用いて、表示部２に対して設定可能な輝度の範囲を決定する処理を実行するステップである。Ｓ１３３では、輝度範囲決定部３０８の処理と同様に、表示領域の大きさＳｒが大きいほど、設定可能な輝度の範囲の上限値が小さくなり、かつ、距離Ｌが大きいほど、設定可能な輝度の範囲の上限値が大きくなるように、輝度の範囲が決定される。
【０１００】
（第４の実施例）
以下、本発明の第４の実施例に係る表示装置について、説明する。
【０１０１】
第１の実施例から第３の実施例では、表示領域の大きさＳｒに基づいて、上限輝度ＢＬＭを決定した。第４の実施例に係る表示装置は、決定した上限輝度ＢＬＭに基づいて、表示領域の大きさＳｒを決定する。これにより、ユーザは、視聴したい輝度に基づいて、好適な表示領域の大きさＳｒで画像を視ることが可能となる。
【０１０２】
第４の実施例の表示装置１の装置構成は、第１の実施例の表示装置と同様であることから、説明を省略する。
【０１０３】
図１８は、第４の実施例の表示装置１の各機能ブロックを示すブロック図である。制御基板１００は、入力部１０１、画像処理部１０２、拡大率設定部４０３、スケーラ処理部４０４、画像サイズ決定部４０５、画面情報取得部４０６、領域サイズ決定部４０７、輝度範囲決定部４０８、輝度設定部４０９、スケーラ画像生成部１１０、輝度画像生成部１１１、画像合成部１１２、および表示制御部１１３を備える。第１の実施例の制御基板１００の機能ブロックと同名、かつ同符号を付した機能ブロックは、第１の実施例と同様の機能を発揮するため、説明を省略する。
【０１０４】
輝度設定部４０９は、入力Ｉ／Ｆ６の指示に応じて表示部２に表示される最大輝度を設定する。輝度設定部４０９は、設定する最大輝度が、上限輝度ＢＬＭを超えるか否かを判定する。最大輝度が上限輝度ＢＬＭを超えない場合、輝度設定部４０９は、最大輝度を表示制御部１１３に出力する。最大輝度が上限輝度ＢＬＭを超える場合、輝度設定部４０９は、設定する最大輝度と、上限輝度ＢＬＭ変更指示とを輝度範囲決定部４０８に出力する。
【０１０５】
輝度範囲決定部４０８は、輝度設定部４０９から上限輝度ＢＬＭ変更指示を受けた場合に、取得した最大輝度を上限輝度ＢＬＭに決定する。輝度範囲決定部４０８は、決定した上限輝度ＢＬＭを領域サイズ決定部４０７に出力する。
【０１０６】
領域サイズ決定部４０７は、取得した上限輝度ＢＬＭが大きいほど、表示領域の大きさＳｒが小さくなるように、表示領域の大きさＳｒを決定する。領域サイズ決定部４０７は、取得した上限輝度ＢＬＭと、メモリ５から取得した上限輝度ＢＬＭと表示領域の大きさＳｒとを関連付けた情報とに基づいて、表示領域の大きさＳｒを決定する。図１９は、上限輝度ＢＬＭと、表示領域の大きさＳｒとを関連付けた情報を示す表である。上限輝度ＢＬＭが２０００ｎｉｔ以上４０００ｎｉｔ未満の場合、表示領域の大きさＳｒは、２０インチが関連付けられる。同様にして、上限輝度ＢＬＭに対して、表示領域の大きさＳｒが関連付けられる。領域サイズ決定部４０７は、決定した表示領域の大きさＳｒを、画像サイズ決定部４０５に出力する。
【０１０７】
画像サイズ決定部４０５は、取得した表示領域の大きさＳｒと、画面情報取得部１０６から取得した画面２ａの大きさおよび画素数と、に基づいて、表示画像データの大きさを決定する。具体的には、画像サイズ決定部４０５は、スケーラ処理部４０４で生成される拡大画像データの画素数を決定する。
【０１０８】
例えば、画面２ａの大きさが４０インチ、かつ画面２ａの画素数が３８４０×２１６０であり、領域サイズ決定部４０７が決定した表示領域の大きさＳｒが２０インチであった場合、画像サイズ決定部４０５は、表示画像データの大きさを１９２０×１０８０とする。
【０１０９】
画像サイズ決定部４０５は、決定した表示画像データの大きさを拡大率設定部４０３に出力する。
【０１１０】
拡大率設定部４０３は、画像処理部１０２から取得した補正画像データの大きさと、取得した表示画像データの大きさとに基づいて、スケーラ処理部４０４に拡大率を設定する。具体的には、拡大率設定部４０３は、補正画像データの画素数と、表示用画像データの画素数とに基づいて、拡大率を設定する。補正画像データの画素数が９６０×５４０であり、かつ、表示用画像データの画素数が１９２０×１０８０であった場合、拡大率設定部４０３は、拡大率を２倍に設定する。
【０１１１】
表示用画像データと補正画像データとのアスペクト比が異なる場合、拡大率設定部４０３は、補正画像データの水平方向の画素数と、垂直方向の画素数のうち画素数の小さい方向の画素数と、同方向の表示用画像データの画素数に基づいて拡大率を設定する。これにより、スケーラ処理部４０４で生成される拡大画像データの大きさが、表示用画像データの大きさを超えない。なお、表示用画像データと補正画像データとのアスペクト比が異なる場合、上述のように拡大率を設定する他に、補正画像データのアスペクト比に応じて、表示画像データのアスペクト比を決定してスケーラ処理部４０４に設定してもよい。
【０１１２】
スケーラ処理部４０４は、取得した拡大率を用いて、画像処理部１０２から取得した補正画像データを拡大して拡大画像データを生成する。
【０１１３】
第４の実施例に記載の表示装置によれば、ユーザが指定した最大輝度に応じて、表示領域の大きさＳｒを変更することによって、表示装置１に表示される画像を視ているユーザが、まぶしさを感じることを抑制することが可能となる。
【０１１４】
なお、上述の制御基板１００の各機能ブロックが発揮する機能は、第１の実施例から第３の実施例と同様に、制御基板１００が備えるプロセッサが、メモリ５から読み出したプログラムを実行することによって、実現することも可能である。
【０１１５】
（他の実施例）
第１の実施例から第４の実施例では、表示部２が１画面表示を行う場合について示したが、表示方法はこれに限らない。複数の画像データをＰｉｃｔｕｒｅ  ｉｎ  Ｐｉｃｔｕｒｅ（ＰｉＰ）表示する場合に、本発明を適用することが可能である。この場合、表示部２に表示されるウィンドウの大きさを１つの表示領域として、当該表示領域に対する上限輝度ＢＬＭと表示領域の大きさＳｒとを関連付けて制御することによって、まぶしさを抑制することが可能である。
【０１１６】
本発明は、表示部２がスクリーンに画像を投影して表示するプロジェクタであっても実現可能である。この場合、画面２ａは、プロジェクタがスクリーン上に画像を表示可能な領域を示す。画面情報取得部１０６は、プロジェクタとスクリーンとの距離、およびプロジェクタの投影角度等の情報から、画面２ａの大きさを取得することが可能である。
【０１１７】
なお、本発明は、第１の実施例から第４の実施例に記載した制御基板１００の各機能ブロックに対応する各処理ステップを実行して、表示装置を制御する方法であってもよい。この場合、制御基板１００に備えられた演算処理装置が、メモリ５から読みだしたプログラムに基づいて、各処理ステップを実行することにより、本発明に記載の効果を得ることが可能となる。
【０１１８】
なお、第１の実施例から第４の実施例では、制御基板１００および表示部２を備える表示装置１について、説明したが、本発明は、表示部２に対して、画像と輝度範囲とを出力する画像処理装置であってもよい。
【０１１９】
この場合、画像処理装置１０は、表示部２と接続して、表示部２の制御を行う処理装置である。画像処理装置１０は、制御基板１００と同様の機能を発揮して、表示部２に表示する画像データを出力するとともに、表示部２の画面２ａの解像度および大きさを取得し、表示領域の大きさＳｒに基づいて、表示部２に設定可能な輝度の範囲を出力する。表示部２は、取得した画像データに基づいて、取得した輝度の範囲内で、最大輝度を設定して、画面２ａに画像を表示する。
【０１２０】
これにより、表示部２の表示領域の大きさＳｒに応じて、表示部２で表示される画像の明るさの範囲を好適に制御することが可能となる。
【０１２１】
また、本発明は、以下の処理を実行することによっても実現される。即ち、上述した実施例の機能を実現するソフトウェア（プログラム）をネットワーク又は各種記録媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記録媒体は本発明を構成することになる。
【符号の説明】
【０１２２】
１  表示装置
２  表示部
２ａ  画面
１００  制御基板
１０７  領域サイズ取得部
１０８  輝度範囲決定部
１０９  輝度設定部
１１３  表示制御部
【図１】
2017142343.tif 000003
【図２】
2017142343.tif 000004
【図３】
2017142343.tif 000005
【図４】
2017142343.tif 000006
【図５】
2017142343.tif 000007
【図６】
2017142343.tif 000008
【図７】
2017142343.tif 000009
【図８】
2017142343.tif 000010
【図９】
2017142343.tif 000011
【図１０】
2017142343.tif 000012
【図１１】
2017142343.tif 000013
【図１２】
2017142343.tif 000014
【図１３】
2017142343.tif 000015
【図１４】
2017142343.tif 000016
【図１５】
2017142343.tif 000017
【図１６】
2017142343.tif 000018
【図１７】
2017142343.tif 000019
【図１８】
2017142343.tif 000020
【図１９】
2017142343.tif 000021